【手続補正書】
【提出日】平成24年6月11日(2012.6.11)
【手続補正１】
【補正対象書類名】特許請求の範囲
【補正対象項目名】全文
【補正方法】変更
【補正の内容】
【特許請求の範囲】
【請求項１】
基地局装置と通信を行う移動局装置において、
予め定められた周波数帯域幅を有する要素キャリアの１又は複数を用いて前記基地局装置と通信し、
基地局装置との通信に用いることができる１又は複数の周波数バンドの組み合わせに関する情報と、
前記周波数バンドにおいて、基地局装置との通信に用いることができる前記要素キャリアが連続であるか非連続であるかに関する情報であり、上りリンクと下りリンクで個別である情報と、
前記周波数バンドにおいて、基地局装置との通信に用いることができる前記要素キャリアの個数に関する情報であり、上りリンクと下りリンクで個別である情報と、
前記周波数バンドにおいて、基地局装置との通信に用いることができる前記要素キャリアを集合させた帯域幅に関する情報であり、上りリンクと下りリンクで個別である情報と、
基地局装置との通信に用いることができる単位時間当たりのビット数に関する移動局装置カテゴリ情報と、
を含む移動局装置能力情報を、前記基地局装置に送信することを特徴とする移動局装置。
【請求項２】
前記移動局装置能力情報に、前記周波数バンドにおいて、基地局装置との通信に用いることができるＭＩＭＯ能力のレイヤ数を示す情報であり、上りリンクと下りリンクで個別である情報と、
を含むことを特徴とする請求項１に記載の移動局装置。
【請求項３】
基地局装置と通信を行う移動局装置に搭載される集積回路において、
予め定められた周波数帯域幅を有する要素キャリアの１又は複数を用いて前記基地局装置と通信し、
基地局装置との通信に用いることができる１又は複数の周波数バンドの組み合わせに関する情報と、
前記周波数バンドにおいて、基地局装置との通信に用いることができる前記要素キャリアが連続であるか非連続であるかに関する情報であり、上りリンクと下りリンクで個別である情報と、
前記周波数バンドにおいて、基地局装置との通信に用いることができる前記要素キャリアの個数に関する情報であり、上りリンクと下りリンクで個別である情報と、
前記周波数バンドにおいて、基地局装置との通信に用いることができる前記要素キャリアを集合させた帯域幅に関する情報であり、上りリンクと下りリンクで個別である情報と、
前記基地局装置との通信に用いることができる単位時間当たりのビット数に関する移動局装置カテゴリ情報と、
を含む移動局装置能力情報を、前記基地局装置に送信することを特徴とする集積回路。
【請求項４】
前記移動局装置能力情報に、前記周波数バンドにおいて、基地局装置との通信に用いることができるＭＩＭＯ能力のレイヤ数を示す情報であり、上りリンクと下りリンクで個別である情報と、
を含むことを特徴とする請求項３に記載の集積回路。
【請求項５】
移動局装置と通信を行う基地局装置において、
予め定められた周波数帯域幅を有する要素キャリアの１又は複数を用いて前記移動局装置と通信し、
基地局装置との通信に用いることができる１又は複数の周波数バンドの組み合わせに関する情報と、
前記周波数バンドにおいて、基地局装置との通信に用いることができる前記要素キャリアが連続であるか非連続であるかに関する情報であり、上りリンクと下りリンクで個別である情報と、
前記周波数バンドにおいて、基地局装置との通信に用いることができる前記要素キャリアの個数に関する情報であり、上りリンクと下りリンクで個別である情報と、
前記周波数バンドにおいて、基地局装置との通信に用いることができる前記要素キャリアを集合させた帯域幅に関する情報であり、上りリンクと下りリンクで個別である情報と、
基地局装置との通信に用いることができる単位時間当たりのビット数に関する移動局装置カテゴリ情報と、
を含む移動局装置能力情報を、前記移動局装置から受信し、
前記移動局装置能力情報に基づいて、前記移動局装置に対して、通信に用いる前記要素キャリアを割り当てることを特徴とする基地局装置。
【請求項６】
前記移動局装置能力情報に、前記周波数バンドにおいて、基地局装置との通信に用いることができるＭＩＭＯ能力のレイヤ数を示す情報であり、上りリンクと下りリンクで個別である情報と、
を含むことを特徴とする請求項５に記載の基地局装置。
【請求項７】
基地局装置と通信を行う移動局装置における通信制御方法において、
予め定められた周波数帯域幅を有する要素キャリアの１又は複数を用いて前記基地局装置と通信する過程と、
基地局装置との通信に用いることができる１又は複数の周波数バンドの組み合わせに関する情報と、
前記周波数バンドにおいて、基地局装置との通信に用いることができる前記要素キャリアが連続であるか非連続であるかに関する情報であり、上りリンクと下りリンクで個別である情報と、
前記周波数バンドにおいて、基地局装置との通信に用いることができる前記要素キャリアの個数に関する情報であり、上りリンクと下りリンクで個別である情報と、
前記周波数バンドにおいて、基地局装置との通信に用いることができる前記要素キャリアを集合させた帯域幅に関する情報であり、上りリンクと下りリンクで個別である情報と、
基地局装置との通信に用いることができる単位時間当たりのビット数に関する移動局装置カテゴリ情報と、
を含む移動局装置能力情報を、前記基地局装置に送信する過程と、
を有することを特徴とする通信制御方法。
【請求項８】
前記移動局装置能力情報に、前記周波数バンドにおいて、基地局装置との通信に用いることができるＭＩＭＯ能力のレイヤ数を示す情報であり、上りリンクと下りリンクで個別である情報と、
を含むことを特徴とする請求項７に記載の通信制御方法。
【請求項９】
移動局装置と通信を行う基地局装置における通信制御方法において、
予め定められた周波数帯域幅を有する要素キャリアの１又は複数を用いて前記移動局装置と通信し、
基地局装置との通信に用いることができる１又は複数の周波数バンドの組み合わせに関する情報と、
前記周波数バンドにおいて、基地局装置との通信に用いることができる前記要素キャリアが連続であるか非連続であるかに関する情報であり、上りリンクと下りリンクで個別である情報と、
前記周波数バンドにおいて、基地局装置との通信に用いることができる前記要素キャリアの個数に関する情報であり、上りリンクと下りリンクで個別である情報と、
前記周波数バンドにおいて、基地局装置との通信に用いることができる前記要素キャリアを集合させた帯域幅に関する情報であり、上りリンクと下りリンクで個別である情報と、
基地局装置との通信に用いることができる単位時間当たりのビット数に関する移動局装置カテゴリ情報と、
を含む移動局装置能力情報を、前記移動局装置から受信する過程と、
前記移動局装置能力情報に基づいて、前記移動局装置に対して、通信に用いる前記要素キャリアを割り当てる過程を有することを特徴とする通信制御方法。
【請求項１０】
前記移動局装置能力情報に、前記周波数バンドにおいて、基地局装置との通信に用いることができるＭＩＭＯ能力のレイヤ数を示す情報であり、上りリンクと下りリンクで個別である情報と、
を含むことを特徴とする請求項９に記載の通信制御方法。
【請求項１１】
請求項７または８の通信制御方法に従って、前記基地局装置と通信を行うことを特徴とする、前記移動局装置に搭載された集積回路。
【手続補正２】
【補正対象書類名】明細書
【補正対象項目名】発明の名称
【補正方法】変更
【補正の内容】
【発明の名称】移動局装置、基地局装置、通信制御方法及び集積回路
【手続補正３】
【補正対象書類名】明細書
【補正対象項目名】００１６
【補正方法】変更
【補正の内容】
【００１６】
（１）本発明は上記の課題を解決するためになされたものであり、本発明は、基地局装置と通信を行う移動局装置において、予め定められた周波数帯域幅を有する要素キャリアの１又は複数を用いて前記基地局装置と通信し、基地局装置との通信に用いることができる１又は複数の周波数バンドの組み合わせに関する情報と、前記周波数バンドにおいて、基地局装置との通信に用いることができる前記要素キャリアが連続であるか非連続であるかに関する情報であり、上りリンクと下りリンクで個別である情報と、前記周波数バンドにおいて、基地局装置との通信に用いることができる前記要素キャリアの個数に関する情報であり、上りリンクと下りリンクで個別である情報と、前記周波数バンドにおいて、基地局装置との通信に用いることができる前記要素キャリアを集合させた帯域幅に関する情報であり、上りリンクと下りリンクで個別である情報と、基地局装置との通信に用いることができる単位時間当たりのビット数に関する移動局装置カテゴリ情報と、を含む移動局装置能力情報を、前記基地局装置に送信することを特徴とする移動局装置である。
【手続補正４】
【補正対象書類名】明細書
【補正対象項目名】００１７
【補正方法】変更
【補正の内容】
【００１７】
（２）また、本発明は、上記の移動局装置において、前記移動局装置能力情報に、前記周波数バンドにおいて、基地局装置との通信に用いることができるＭＩＭＯ能力のレイヤ数を示す情報であり、上りリンクと下りリンクで個別である情報と、を含むことを特徴とする。
【手続補正５】
【補正対象書類名】明細書
【補正対象項目名】００１８
【補正方法】変更
【補正の内容】
【００１８】
（３）また、本発明は、基地局装置と通信を行う移動局装置に搭載される集積回路において、予め定められた周波数帯域幅を有する要素キャリアの１又は複数を用いて前記基地局装置と通信し、基地局装置との通信に用いることができる１又は複数の周波数バンドの組み合わせに関する情報と、前記周波数バンドにおいて、基地局装置との通信に用いることができる前記要素キャリアが連続であるか非連続であるかに関する情報であり、上りリンクと下りリンクで個別である情報と、前記周波数バンドにおいて、基地局装置との通信に用いることができる前記要素キャリアの個数に関する情報であり、上りリンクと下りリンクで個別である情報と、前記周波数バンドにおいて、基地局装置との通信に用いることができる前記要素キャリアを集合させた帯域幅に関する情報であり、上りリンクと下りリンクで個別である情報と、前記基地局装置との通信に用いることができる単位時間当たりのビット数に関する移動局装置カテゴリ情報と、を含む移動局装置能力情報を、前記基地局装置に送信することを特徴とする集積回路である。
【手続補正６】
【補正対象書類名】明細書
【補正対象項目名】００１９
【補正方法】変更
【補正の内容】
【００１９】
（４）また、本発明は、上記の集積回路において、前記移動局装置能力情報に、前記周波数バンドにおいて、基地局装置との通信に用いることができるＭＩＭＯ能力のレイヤ数を示す情報であり、上りリンクと下りリンクで個別である情報と、を含むことを特徴とする。
【手続補正７】
【補正対象書類名】明細書
【補正対象項目名】００２０
【補正方法】変更
【補正の内容】
【００２０】
（５）また、本発明は、移動局装置と通信を行う基地局装置において、予め定められた周波数帯域幅を有する要素キャリアの１又は複数を用いて前記移動局装置と通信し、基地局装置との通信に用いることができる１又は複数の周波数バンドの組み合わせに関する情報と、前記周波数バンドにおいて、基地局装置との通信に用いることができる前記要素キャリアが連続であるか非連続であるかに関する情報であり、上りリンクと下りリンクで個別である情報と、前記周波数バンドにおいて、基地局装置との通信に用いることができる前記要素キャリアの個数に関する情報であり、上りリンクと下りリンクで個別である情報と、前記周波数バンドにおいて、基地局装置との通信に用いることができる前記要素キャリアを集合させた帯域幅に関する情報であり、上りリンクと下りリンクで個別である情報と、基地局装置との通信に用いることができる単位時間当たりのビット数に関する移動局装置カテゴリ情報と、を含む移動局装置能力情報を、前記移動局装置から受信し、前記移動局装置能力情報に基づいて、前記移動局装置に対して、通信に用いる前記要素キャリアを割り当てることを特徴とする基地局装置である。
【手続補正８】
【補正対象書類名】明細書
【補正対象項目名】００２１
【補正方法】変更
【補正の内容】
【００２１】
（６）また、本発明は、上記の基地局装置において、前記移動局装置能力情報に、前記周波数バンドにおいて、基地局装置との通信に用いることができるＭＩＭＯ能力のレイヤ数を示す情報であり、上りリンクと下りリンクで個別である情報とを含むことを特徴とする。
【手続補正９】
【補正対象書類名】明細書
【補正対象項目名】００２２
【補正方法】変更
【補正の内容】
【００２２】
（７）また、本発明は、基地局装置と通信を行う移動局装置における通信制御方法において、予め定められた周波数帯域幅を有する要素キャリアの１又は複数を用いて前記基地局装置と通信する過程と、基地局装置との通信に用いることができる１又は複数の周波数バンドの組み合わせに関する情報と、前記周波数バンドにおいて、基地局装置との通信に用いることができる前記要素キャリアが連続であるか非連続であるかに関する情報であり、上りリンクと下りリンクで個別である情報と、前記周波数バンドにおいて、基地局装置との通信に用いることができる前記要素キャリアの個数に関する情報であり、上りリンクと下りリンクで個別である情報と、前記周波数バンドにおいて、基地局装置との通信に用いることができる前記要素キャリアを集合させた帯域幅に関する情報であり、上りリンクと下りリンクで個別である情報と、基地局装置との通信に用いることができる単位時間当たりのビット数に関する移動局装置カテゴリ情報と、を含む移動局装置能力情報を、前記基地局装置に送信する過程と、を有することを特徴とする通信制御方法である。
【手続補正１０】
【補正対象書類名】明細書
【補正対象項目名】００２３
【補正方法】変更
【補正の内容】
【００２３】
（８）また、本発明は、上記の通信制御方法において、前記移動局装置能力情報に、前記周波数バンドにおいて、基地局装置との通信に用いることができるＭＩＭＯ能力のレイヤ数を示す情報であり、上りリンクと下りリンクで個別である情報と、を含むことを特徴とする。
【手続補正１１】
【補正対象書類名】明細書
【補正対象項目名】００２４
【補正方法】変更
【補正の内容】
【００２４】
（９）また、本発明は、移動局装置と通信を行う基地局装置における通信制御方法において、予め定められた周波数帯域幅を有する要素キャリアの１又は複数を用いて前記移動局装置と通信し、基地局装置との通信に用いることができる１又は複数の周波数バンドの組み合わせに関する情報と、前記周波数バンドにおいて、基地局装置との通信に用いることができる前記要素キャリアが連続であるか非連続であるかに関する情報であり、上りリンクと下りリンクで個別である情報と、前記周波数バンドにおいて、基地局装置との通信に用いることができる前記要素キャリアの個数に関する情報であり、上りリンクと下りリンクで個別である情報と、前記周波数バンドにおいて、基地局装置との通信に用いることができる前記要素キャリアを集合させた帯域幅に関する情報であり、上りリンクと下りリンクで個別である情報と、基地局装置との通信に用いることができる単位時間当たりのビット数に関する移動局装置カテゴリ情報と、を含む移動局装置能力情報を、前記移動局装置から受信する過程と、前記移動局装置能力情報に基づいて、前記移動局装置に対して、通信に用いる前記要素キャリアを割り当てる過程を有することを特徴とする通信制御方法である。
【手続補正１２】
【補正対象書類名】明細書
【補正対象項目名】００２５
【補正方法】変更
【補正の内容】
【００２５】
（１０）また、本発明は、上記の通信制御方法において、前記移動局装置能力情報に、前記周波数バンドにおいて、基地局装置との通信に用いることができるＭＩＭＯ能力のレイヤ数を示す情報であり、上りリンクと下りリンクで個別である情報と、を含むことを特徴とする。
【手続補正１３】
【補正対象書類名】明細書
【補正対象項目名】００２６
【補正方法】変更
【補正の内容】
【００２６】
（１１）また、本発明は、上記の通信制御方法に従って、前記基地局装置と通信を行うことを特徴とする、前記移動局装置に搭載された集積回路である。
【手続補正１４】
【補正対象書類名】明細書
【補正対象項目名】００２７
【補正方法】削除
【補正の内容】
【手続補正１５】
【補正対象書類名】明細書
【補正対象項目名】００２８
【補正方法】削除
【補正の内容】
【手続補正１６】
【補正対象書類名】明細書
【補正対象項目名】００２９
【補正方法】削除
【補正の内容】
【手続補正１７】
【補正対象書類名】明細書
【補正対象項目名】００３０
【補正方法】削除
【補正の内容】
【手続補正１８】
【補正対象書類名】明細書
【補正対象項目名】００３１
【補正方法】削除
【補正の内容】
【手続補正１９】
【補正対象書類名】明細書
【補正対象項目名】００３２
【補正方法】削除
【補正の内容】